(57)【特許請求の範囲】
【請求項１】
排泄物の通過を防止する防水シートと、
前記防水シートよりも着用者側に配置され、前記排泄物を吸収する吸収体と、
最も前記着用者側に配置され、前記排泄物の液体の浸透が可能な表面シートと、
が重ねられた吸収性製品であって、
前記表面シートは、前記吸収体から離間するように弾性力を発揮して、前記吸収体との間に前記排泄物を収容する収容空間を形成するための弾性部材を有すると共に、前記排泄物を前記収容空間に通すための通過部を有しており、
前記収容空間には、前記液体の浸透が可能であり、部分的に前記表面シートと前記吸収体とを繋ぐようにした連結部が設けられており、
前記連結部は、着用時における前記収容空間の前後方向に前記排泄物が移動するための流路を確保しつつ、前記前後方向を複数に仕切っていることを特徴とする吸収性製品。
【請求項２】
排泄物の通過を防止する防水シートと、
前記防水シートよりも着用者側に配置され、前記排泄物を吸収する吸収体と、
最も前記着用者側に配置され、前記排泄物の液体の浸透が可能な表面シートと、
が重ねられた吸収性製品であって、
前記表面シートは、前記吸収体から離間するように弾性力を発揮して、前記吸収体との間に前記排泄物を収容する収容空間を形成するための弾性部材を有すると共に、前記排泄物を前記収容空間に通すための通過部を有しており、
前記収容空間には、前記液体の浸透が可能であり、部分的に前記表面シートと前記吸収体とを繋ぐようにした連結部が設けられており、
前記連結部および前記表面シートは不織布から形成されており、
前記連結部の繊維密度は前記表面シートの繊維密度に比べて高い
ことを特徴とする吸収性製品。
【発明の詳細な説明】
【技術分野】
【０００１】
本発明は排泄物を保持可能な吸収性製品に関する。
【背景技術】
【０００２】
従来の失禁用や乳幼児用の吸収性製品には、パンツと同様な形状をしたパンツ式やテープでパンツの形状に組み立てて使用するテープ式等の使い捨ておむつ、或いは、パンツの中に配置して使用される尿取りパッド等がある。
特許文献１は、この吸収性製品のおむつ例であり、その第２図及び第５図に示されるように、使用者の股側に軟便の透過が可能な透孔５Ａを有する表面シート５と、外側に排泄物の透過を防止する不透液性シート１と、表面シート５と不透液性シート１とで挟まれ、表面シート５から透過してきた排泄物を吸収する吸収性ポリマー等からなる吸収体３とを有している。
【０００３】
そして、この特許文献１の表面シート５は、着用時に弾性伸縮部材７の収縮力によって、幅方向の両端部が立ち上がり、これにより、表面シート５と吸収体３の上の透液性シート２との間には空間Pが形成され、この空間Ｐに軟便が収容可能とされている。
また、表面シート５は、幅方向の中央部が吸収体３の上の透液性シート２に接続され、これにより、表面シート５に付着した小便を吸収体３に導いて、表面シート５の湿潤した感触を可及的に回避するようにしている。
かくして、特許文献１のおむつでは、軟便については空間Ｐに収容し、そして、小便については吸収体３に移動し、軟便と小便を問わずに、身体への付着を防止している。
【先行技術文献】
【特許文献】
【０００４】
【特許文献１】特開平２−２７４２５０号公報
【発明の概要】
【発明が解決しようとする課題】
【０００５】
ところで、特許文献１では、表面シート５が吸収体３の上の透液性シート２に接続され、小便を吸収体３に移動させることはできるが、この小便の移動を効果的に行うためには、その第５図に示されるように、表面シート５の中央部の大きな領域を吸収体３側に接続しなければならない。
そうすると、表面シート５と吸収体３との間の空間Ｐは小さくならざるを得ず、大量の軟便をこの小さな空間Ｐに確実に収容することは難しくなってしまい、小便の吸収体３への効果的な移動という問題は解決できたとしても、逆に軟便は肌に触れ易くなるという問題が生じる。従って、特許文献１では小便と軟便の双方の肌への接触を効果的に防止するには至っていない。
そこで、本発明は、軟便と小便を問わず、排泄物が身体に触れることを可及的に回避して、排泄後の気持ち悪さやスキントラブルを回避できる吸収性製品を提供することを目的とする。
【課題を解決するための手段】
【０００６】
上記課題は、排泄物の通過を防止する防水シートと、前記防水シートよりも着用者側に配置され、前記排泄物を吸収する吸収体と、最も前記着用者側に配置され、前記排泄物の液体の浸透が可能な表面シートと、が重ねられた吸収性製品であって、前記表面シートは、前記吸収体から離間するように弾性力を発揮して、前記吸収体との間に前記排泄物を収容する収容空間を形成するための弾性部材を有すると共に、前記排泄物を前記収容空間に通すための通過部を有しており、前記収容空間には、前記液体の浸透が可能であり、部分的に前記表面シートと前記吸収体とを繋ぐようにした連結部が設けられており、前記連結部は、着用時における前記収容空間の前後方向に前記排泄物が移動するための流路を確保しつつ、前記前後方向を複数に仕切っていることを特徴とする吸収性製品により解決される。
【０００７】
本発明によれば、排泄物の通過を防止する防水シートと、防水シートよりも着用者側に配置され、排泄物を吸収する吸収体とを有している。従って、小便等の排泄物を吸収体まで移動することが出来れば、排泄物は吸収体で保持されると共に、防水シートにより衣類側に付着することを防止できる。
この点、本発明の吸収性製品は、最も着用者側に配置され、排泄物の液体（即ち、体液）の浸透が可能な表面シートを有し、この表面シートは、吸収体から離間するように弾性力を発揮して、吸収体との間に排泄物を収容する収容空間を形成するための弾性部材を有すると共に、排泄物を収容空間に通すための通過部を有している。従って、軟便等の排泄物は通過部を通って収容空間に収容されてから、これを吸収体で吸収していくことができ、その間、軟便等と肌とを表面シートで仕切って、着用者の肌を汚してしまう事態を抑制できる。
さらに、収容空間には、体液の浸透が可能であり、表面シートと吸収体とを繋ぐようにした連結部が設けられている。従って、例えば通過部を通らずに表面シートに付着して残った小便等の体液を、連結部を介して吸収体に導くことができる。
そして、この連結部は表面シートと吸収体とを部分的に繋ぐものであり、このため、表面シートと吸収体との間の収容空間を完全に塞いでしまうこともない。
また、上述のように連結部を介して体液を吸収体に導くことができるので、体液の移動のために表面シートと吸収体側とを直接的に接続する必要はなく、又、表面シートと吸収体側とを直接的に接続したとしても、その接続領域を従来のように大きくする必要性もない。従って、表面シートと吸収体との間の収容空間も従来に比べて大きくすることができ、軟便に対する収容空間の収容能力を確保することができる。
かくして、軟便であっても、小便であっても、吸収体側に移動させて、着用者の肌を汚してしまう事態を有効に防止できる。
なお、本発明の連結部は、表面シートと吸収体とを直接的に繋ぐものに限られるものではなく、間接的に繋ぐものも含まれる。例えば、吸収体の着用者側の表面を覆う部材があれば、その部材と表面シートとを連結部で部分的に繋いでも構わない。
【０００９】
また、前記連結部は、着用時における前記収容空間の前後方向に前記排泄物が移動するための流路を確保しつつ、前記前後方向を複数に仕切っていることを特徴とする。
そうすると、連結部は前後方向を複数に仕切っているので、勢いよく排出された軟便や小便が収容空間内において不要に前後方向に移動することを阻止できる。例えば、収容空間について、肛門部の直下の空間に軟便を収容可能であるにもかかわらず、軟便が勢いよく排泄されて、股間部の幅の狭い空間に流入してくることを可及的に防止したり、また、男性用の吸収性製品では、陰茎から小便が勢いよく排泄された場合、股間部の幅の狭い空間に不要に流入したりすることを防止できる。従って、股間部の幅の狭い部分から外部に排泄物が漏れる事態を有効に防止できる。
そして、この連結部は、前後方向を完全に仕切らない態様であり、収容空間の前後方向に排泄物が移動するための流路を有している。これにより、例えば、軟便の量が多く、収容空間の内、肛門部の直下にある空間だけでは収容しきれない場合があっても、当該直下の空間よりも前方の空間に流路を介して軟便を移動させて、排泄物が収容空間に入りきらずに肌に付着する事態を防止することができる。また、収容空間の内、股間部の幅の狭い部分に対応した空間に小便が収容しきれない場合も、その前後の空間に小便を移動させて、股間部の幅の狭い部分から所謂横漏れする事態を防止できる。
【００１０】
上記課題は、排泄物の通過を防止する防水シートと、前記防水シートよりも着用者側に配置され、前記排泄物を吸収する吸収体と、最も前記着用者側に配置され、前記排泄物の液体の浸透が可能な表面シートと、が重ねられた吸収性製品であって、前記表面シートは、前記吸収体から離間するように弾性力を発揮して、前記吸収体との間に前記排泄物を収容する収容空間を形成するための弾性部材を有すると共に、前記排泄物を前記収容空間に通すための通過部を有しており、前記収容空間には、前記液体の浸透が可能であり、部分的に前記表面シートと前記吸収体とを繋ぐようにした連結部が設けられており、前記連結部および前記表面シートは不織布から形成されており、前記連結部の繊維密度は前記表面シートの繊維密度に比べて高いことを特徴とする吸収性製品により解決される。
従って、表面シートに付着した小便を、相対的に繊維密度の高い連結部により、毛細管現象で吸収体側に積極的に導くことができる。また、表面シートは連結部よりも繊維密度が低いため、連結部に付着した小便が表面シートに逆戻りする現象も有効に防止できる。
【発明の効果】
【００１１】
以上、本発明は、軟便と小便を問わず、排泄物が身体に触れることを可及的に回避して、排泄後の気持ち悪さやスキントラブルを回避できる吸収性製品を提供することができる。
【図面の簡単な説明】
【００１２】
【図１】本発明の第１実施形態に係る吸収性製品の概略斜視図。
【図２】本発明の第１実施形態に係る吸収性製品の平面図。
【図３】本発明の第１実施形態に係る吸収性製品を装着した図であり、図３（Ａ）は着用者の背面側から視認した図、図３（Ｂ）は図３（Ａ）の概略Ｂ−Ｂ断面図。
【図４】図１の吸収性製品を装着して、図１のＡ−Ａ位置で切断した場合の概略断面図。
【図５】図１の吸収性製品を装着して、図１のＡ’−Ａ’位置で切断した場合の概略断面図。
【図６】図１の吸収性製品の使用状態を図４の断面位置で説明する図であり、図６（Ａ）は軟便を排泄している最中の状態、図６（Ｂ）は軟便を排泄し終えた後の状態を示す図。
【図７】本発明の第２実施形態に係る吸収性製品の概略斜視図。
【図８】本発明の第２実施形態に係る吸収性製品の平面図。
【図９】図７の吸収性製品を装着して、図７のＣ−Ｃの位置で切断した場合の概略断面図。
【図１０】図７の吸収性製品を装着して、図７のＤ−Ｄの位置で切断した場合の概略断面図。
【図１１】図７の吸収性製品を装着して、図７のＥ−Ｅの位置で切断した場合の概略断面図。
【発明を実施するための形態】
【００１３】
以下に、本発明の好ましい実施形態を、図面を参照して詳しく説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
また、以下の図において、同一の符号を付した箇所は同様の構成である。
また、以下の説明において、特段の説明がない限り、「前後方向」は吸収性製品を装着した際の着用者の下腹部と股間部と臀部とを結ぶ方向を、「左右方向」は吸収性製品を装着した際の着用者の左右方向（右脚と左脚とを結ぶ方向）を意味する。
【００１４】
〔第１実施形態〕
先ず、本発明の第１実施形態に係る吸収性製品１０を図１〜図５を用いて説明する。
なお、図１は吸収性製品１０が湾曲した状態であり、図２は図１の吸収性製品１０を伸ばし広げてから平面視した図である。また、図３（Ｂ）ではパンツ及び後述するカバーシートを省略している。また、図４及び図５の一点鎖線で囲った図は弾性部材２８周辺の拡大図である。また、図５では、理解の便宜のため連結部４３を平行斜線で示している。
図１〜図５の吸収性製品１０は、本発明の好適な例として、パンツの中に敷いて用いられる失禁用の尿便パッド（「失禁用パッド」とも言う）の例を示しているが、本発明の吸収性製品は、失禁用に限られるものではなく、乳幼児用おしめとしても用いることができる。また、パンツの中に敷く形式ではなく、おしめ自体がパンツ形状をしたパンツ式、またはテープでパンツの形状に組み立てて使用するテープ式等の使い捨ておむつ等として用いることができる。
【００１５】
図１及び図２に示すように、吸収性製品１０は広げた際、全体的に扁平で瓢箪のような形状をしており、一方向（図のＹ方向）に長い。この長手方向Ｙは、装着状態における着用時の前後方向に対応している。吸収性製品１０は着用者の下腹部側から股間部を通って臀部側に装着され、長手方向Ｙの両端部１０ａ，１０ｂがパンツの中で着用者の胴回り又は胴回りに近接した位置まで配置される。
また、吸収性製品１０は、この長手方向Ｙに直交する幅方向（短手方向）Ｘにおいて、着用者の左右方向に沿って装着される。
図２に示すように、吸収性製品１０は、この幅方向Ｘの寸法が長手方向Ｙの中央部付近において短くなることで、吸収性製品１０には縮幅部１２が形成されている。縮幅部１２は股間部に装着される部分である。
この縮幅部１２は長手方向Ｙの中央ではなく、下腹部側の端部１０ａ側にやや位置がずれており、縮幅部１２から臀部側の端部１０ｂまでの距離Ｌ１は、縮幅部１２から下腹部側の端部１０ａまでの距離Ｌ２に比べて長い。縮幅部１２から臀部側の端部１０ｂまでの形状、及び、縮幅部１２から下腹部側の端部１０ａまでの形状は、それぞれ概ね円形状である。なお、幅方向Ｘについて、吸収性製品１０は左右対称である。
【００１６】
図１及び図２に示す吸収性製品１０は、長手方向Ｙに沿って、肌側に起立する一対のサイドギャザー１４，１４を有している。サイドギャザー１４は、幅方向Ｘから排泄物が漏れる所謂横漏れを防止するための起立部である。具体的には、図１及び図４に示すように、吸収性製品１０の幅方向Ｘの両端部に接続された防水性のあるサイドシート１５の自由端部１５ａに、長手方向Ｙに沿って合成ゴム等の弾性材１６が伸長した状態で接続したものである。この一対のサイドギャザー１４，１４間の寸法が股間部の左右方向の寸法に対応しており、吸収性製品１０を装着すると、弾性材１６の力でサイドシート１５が起立した状態になり、自由端部１５ａが股間部と内腿の付け根付近との間位に当たって、所謂横漏れを防止できる。
【００１７】
このような吸収性製品１０は、図４に示すように、複数層からなっており、外側（パンツ側）に露出する防水シート１８と、この防水シート１８よりも着用者ＵＳ側（肌側）の吸収体１９と、最も着用者ＵＳ側に配置された表面シート２０とが重ねられている。
防水シート１８は、着用者ＵＳの排泄物の通過を防止して、服の汚れ等を防止するための部材であり、バックシートとも呼ばれる。防水シート１８は周知の材料を利用でき、可撓性を備えた材質、例えば薄いプラスチックフィルムにより作られている。具体的に、防水シート１８は、ポリエチレンフィルムやポリエチレンラミネート紙等が使用でき、好ましくは、微多孔性防水樹脂フィルム等の不透性ではあるが透湿性を有する素材を用いるとよい。
【００１８】
吸収体１９は、排泄物を吸収して保持する部材であり、防水シート１８にホットメルト等で貼着して重合されている。この吸収体１９は、吸収した液体の保持性が高く、比較的厚みが薄く嵩張らない形態とされるのが好ましい。このような吸収体１９としては、例えばパルプに吸収材であるポリマーを混合したり、パルプにポリマーを散布したりして形成するパルプ吸収体、さらにパルプ等によるシート材間にポリマーを高密度に配置してシート状としたポリマーシート等が使用できる。
なお、吸収体１９は、図２に示すように、平面視が瓢箪型又は砂時計型をしており、臀部側が下腹部側に比べて大きな面積を有している。
【００１９】
図４の吸収体１９はティッシュ１７に包まれて、その形状が保持され、外部に晒されることが防がれている。ティッシュ１７には、液体等を吸収する柔らかい材質、たとえばパルプ、レーヨン、コットン、ケナフ、バガス、シルク、親水処理をした繊維（ポリオレフィン系、ポリエステル、アクリル）などを単一又は複合してシート化したものを用いることができる。
さらに、本実施形態では、ティッシュ１７を被覆するカバーシート（このカバーシートは表面シート２０が存在しない吸収性製品では、表面材又はトップシートとも呼ばれる）２１が設けられている。このカバーシート２１は、体液の浸透が可能な部材であり、例えば、不織布、あるいは、微細な孔を有するポリエチレンシートの上下を不織布で挟んだものを用いることができる。
【００２０】
表面シート２０はシート状であって、装着した際、吸収体１９との間に排泄物を収容するための収容空間Ｓを形成すると共に、収容空間Ｓと着用者ＵＳの肌とを空間的に区分けする役割を有する。
本実施形態の表面シート２０は不織布から形成されている。不織布には公知なものが利用でき、例えば、合成樹脂を繊維化した熱融着性繊維（例えば、ＰＥＴ／ＰＥ，ＰＰ／ＰＥ，ＰＥＴ／ＥＰ，ＰＰ／ＥＰ）をサーマルボンド法やスパンボンド法等でバインダーを使わずに融着して形成される。このような不織布は、起毛立ちし難い材料であることから使用者の肌に触れる材料として好適に使用できると共に、吸収体１９側に排泄物を透過させることができる。この不織布は、液透過性を有すると共に液浸透性も有する。
【００２１】
このような表面シート２０は、図３（Ｂ）や図４に示すように、その周縁部が吸収体１９側に接続されているが、周縁部を除く領域は吸収体１９側と接続されていない。そして、表面シート２０は、少なくとも股間部の領域において、吸収体１９から離間するように（図４の場合、吸収体１９を包むティッシュ１７を被覆するカバーシート２１の部分から離間するように）弾性力を発揮する弾性部材２８を有している。弾性部材２８は、吸収性製品１０を広げた図２の状態では強いテンションがかるのに対して、吸収性製品１０を着用者の股間部の前後方向の湾曲に合わせて湾曲させた場合、テンションが緩んで収縮するだけで、他の部材と同様には湾曲しないようになっている。これにより、図３及び図４に示すように、表面シート２０と吸収体１９との間に収容空間Ｓを積極的に形成することができる。
【００２２】
そして、図１及び図４に示すように、表面シート２０は、少なくとも軟便を吸収体１９側、即ち収容空間Ｓに通すための通過部２５を有している。従って、着用者が排泄した軟便は、表面シート２０に形成された通過部２５を通って収容空間Ｓに移動し、この収容空間Ｓに軟便を収容してから、これを吸収体１９で吸収していくことができ、その間、軟便と肌とを表面シート２０で仕切って、吸収体１９で素早く吸収できない軟便であっても、着用者の肌を汚してしまう事態を抑制できる。なお、本実施形態の通過部２５は、後述するように、軟便だけではなく小便も収容空間Ｓ側に移動でき、また、大便が大きく硬くない限り、収容空間Ｓ側に移動できるようにしている。
【００２３】
本実施形態の吸収性製品１０は以上の特徴を有し、さらに特徴的な弾性部材２８、通過部２５、及び連結部４３を有している。
先ず、弾性部材２８について説明する。
図１〜図４に示すように、弾性部材２８は、伸長した状態で表面シート２０に接続され、装着した際、着用者の幅方向（左右方向）Ｘの中央部に、着用者の前後方向に沿って配置される。従って、図３（Ｂ）に示すように、吸収性製品１０を下腹部と股間部と臀部を結ぶカーブに沿った形状にした場合、弾性部材２８は縮まって、この弾性部材２８が接続された表面シート２０は、図４に示すように幅方向Ｘの中央部が上側に凸となった状態が、図３（Ｂ）に示すように前後方向に続くため、股間部の形状に沿って装着し易くなり、収容空間Ｓを大きく形成できる。
【００２４】
具体的には、表面シート２０は、図３及び図４に示すように、肌側の不織布からなる肌側表面シート２６と、吸収体１９側の不織布からなる外側表面シート２７とを有し、この肌側表面シート２６と外側表面シート２７とで合成ゴム等の弾性部材２８は挟持され、これら肌側表面シート２６、弾性部材２８、外側表面シート２７は夫々貼着することで互いに固定されている。
弾性部材２８には、薄い表面シート２０が肌に触れた際、弾性部材２８が異物として感じられないように薄い帯状の合成ゴム（例えば、熱可塑性ポリウレタンをテ？プ状にしたポリウレタンエラストマー・テープ）を利用するのが好ましい。
本実施形態では、図１及び図４の弾性部材２８が縮まった状態では、表面シート２０の弾性部材２８の近傍（図４の弾性部材２８の左右両側の部分）にギャザー２９が形成されて、表面シート２０の表面は凸凹になっている。これにより、弾性部材２８の近傍が濡れていても、装着感を向上できる。
また、本実施形態の弾性部材２８は、可及的に大きな収容空間Ｓが形成できるように、図３に示すように、装着した際、下腹部から股間部を通って臀部の下側まで配置される。
なお、外側表面シート２７は肌側表面シート２６に比べて繊維密度が高く、これにより、毛細管現象により外側表面シート２７に体液を積極的に導くと共に、体液の肌側表面シート２６への移動を抑制できる。
【００２５】
次に、通過部２５について説明する。
図２に示すように、通過部２５は弾性部材２８の周辺に配置された複数のスリットから形成されている。なお、この「弾性部材２８の周辺」とは、弾性部材２８の作用を受ける領域を意味する。
具体的には、吸収性製品１０を伸ばし広げた図２の状態では、通過部２５は完全に閉じたスリットであり、このスリットは、製造過程において、弾性部材２８の弾性力に抗しながら伸ばし広げた表面シート２０の上から、カッターを刺し入れて形成される。そして、通過部２５は、装着状態では図１に示すようにスリットが幅方向Ｘに少し広がって、所定の大きさに開口する孔となる。
【００２６】
このような通過部２５を形成するための複数のスリットは、図２に示すように、長手方向に沿って断続的に配置されて列をなしており、この列が幅方向Ｘに並んで複数の列Ｇ１〜Ｇ６とされている。なお、本発明において、この列の数は図２の数に限られるものではないが、幅方向Ｘにおいて、弾性部材２８を中心に左右が同様の複数列とされるのが好ましい。
また、最も幅方向Ｘの中心部に近い列Ｇ３，Ｇ４は、装着した際、着用者の肛門部に隣接して、肛門部の左右両側に配置されるようになっており、この列Ｇ３，Ｇ４の双方から若干の間隔Ｗ１を空けて、列Ｇ３と列Ｇ４の間に弾性部材２８が挟まれて配置されている。従って、弾性部材２８は、図４に示すように、肛門部の略直下に配置され、表面シート２０は臀部の割れ目等にフィットして、表面シート２０と吸収体１９（図の場合はカバーシート２１）との間に排泄物を入れるための大きな収容空間Ｓを形成できる。
【００２７】
この点、図２に示す通過部（スリット）２５は、互いに隣接する列Ｇ１〜Ｇ６同士の関係では、長手方向Ｙについて互いに位置をずらして配置されている。この位置のずれ方には基準があり、着用者の臀部と内腿の境目、及び／又は、鼠蹊部と内腿の境目（例えば図３の臀部ＨＰと内腿ＴＨの境目）に沿って各列Ｇ１〜Ｇ６の通過部（スリット）２５が配置されている。これにより、例えば図３（Ａ）の臀部ＨＰと内腿ＴＨの境目に沿って排泄物が矢印Ｒ１の方向に流れても、図２に示す当該境目に沿った通過部２５ａ，２５ｂ，２５ｃがその排泄物を捉えることができる。
図２の通過部２５は一般的な大人用の失禁パッドを想定しており、例えば、長さＬ３は約４ｃｍ、長手方向Ｙについて互いに隣接する通過部２５同士の間隔Ｌ４は通過部２５の長さＬ３の約１／８の約０．５ｃｍである。なお、本発明において、通過部２５の寸法・互いの間隔・数・形状・配置は、本実施形態に限られるものではなく、吸収性製品の男女別・サイズ・用途などによって変えても勿論構わない。
【００２８】
以上のようなスリットから形成される通過部２５は、排泄物の重みや排泄される圧力により、その開口幅が広がるようになっている。
図６（Ａ）はこの通過部２５の開口幅が広がった状態を示しており、この図に示すように、着用者が軟便ＣＡを排泄すると、その際の圧力や重みで、肛門部直下の弾性部材２８は押され、また、軟便ＣＡは弾性部材２８の左右両側に広がろうとする。そして、軟便ＣＡの重みや排泄時の圧力により、弾性部材２８側の表面シート２０の部分２０ａが押されることで、図１の通過部２５の開口幅Ｗ２が図６（Ａ）のように広がって大きな開口幅Ｗ３となり、ここから軟便ＣＡは比較的に直ぐに収容空間Ｓに移動することになる。
なお、本実施形態の通過部２５は、図３（Ｂ）に示す肛門部ＡＮ及び女性の外尿道口部ＨＲ、並びにこれらの周辺に対応した領域に配置され、軟便だけではなく、硬め目の大便や小便が排泄された際も、その重みや圧力で開口幅が広がって、排泄物を収容空間Ｓに移動可能とされている。
また、図６（Ａ）に示すように、通過部２５は複数の列Ｇ１〜Ｇ６からなっているため、幅方向Ｘの中央側の通過部２５の列Ｇ３，Ｇ４で軟便ＣＡを捉えきれなかった場合であっても、より外側の列Ｇ２，Ｇ５等の通過部２５で軟便ＣＡを収容空間Ｓに移動させることができる。
【００２９】
そして、軟便を排泄し終えると、図６（Ｂ）に示すように、表面シート２０は、弾性部材２８の力で排泄前の状態に戻ろうとして、通過部２５も元に戻ろうとし、図６（Ａ）の開口幅Ｗ３よりも小さな開口幅Ｗ４となる。なお、この開口幅Ｗ４は、排泄時の勢い等で表面シート２０の形状が変化するため、図１の幅Ｗ１と同じ幅に戻らない、即ち完全に元通りにはならないかもしれないが、所定の復元はされる。従って、収容空間Ｓに収容された排泄物が肌に触れることを有効に防止できる。
【００３０】
次に、連結部４３について、図３及び図５を用いて説明する。
収容空間Ｓには、排泄物の液体（小便や軟便等に含まれる液体であり、以下「体液」という）の浸透が可能であり、部分的に表面シート２０と吸収体１９とを繋ぐようにした連結部４３が設けられている。従って、収容空間Ｓが表面シート２０に付着した体液の吸収体１９への移動を阻害する要因であっても、表面シート２０に付着した体液を連結部４３を介して吸収体１９側に導くことができる。そして、この連結部４３は表面シート２０と吸収体１９とを部分的に繋ぐため、収容空間Ｓの軟便に対する収容量を著しく阻害することもない。
【００３１】
本実施形態の連結部４３は、複数層の表面シート２０の吸収体１９側の層である不織布製の外側表面シート２７を部分的に吸収体１９側に弛ませて、吸収体１９（具体的にはカバーシート２１であり、本第１実施形態においては、カバーシート２１を含めて吸収体１９と呼ぶ）に接続することで形成されており、外側表面シート２７の弛ませた部分が連結部４３となる。連結部４３と吸収体１９との接続は、尿の浸透を阻害しないように、熱圧着で接続するのが好ましい。
また、外側表面シート２７は肌側表面シート２６に比べて繊維密度が高くなっており、その結果、連結部４３の繊維密度も肌側表面シート２６の繊維密度に比べて高く形成されている。これにより、表面シート２０に付着した体液を、相対的に繊維密度の高い連結部４３により、毛細管現象で吸収体１９側に積極的に導くことができる。
【００３２】
また、複数の連結部４３により表面シート２０と収容体１９とを繋げている。具体的には、図３に示すように、連結部４３は弾性部材２８に沿って（前後方向Ｙに沿って）断続的に配置されており、特に、肛門部ＡＮの周辺には配置されず（肛門部ＡＮに対応した図４の断面では連結部４３は存在せず）、主に女性の外尿道口ＨＲの周辺に断続的に配置されている。これにより、肛門部ＡＮ周辺の領域では、収容空間Ｓに多くの軟便が収容されるようにすると共に、外尿道口ＨＲから排泄された小便を吸収体１９側に迅速に導くことができる。
この外尿道口ＨＲの周辺の連結部４３は、図５に示すように、幅方向Ｘについても複数配置されており、弾性部材２８に近接した連結部４３Ａ、及び、この連結部４３Ａよりも幅方向Ｘの両外側に配置された２つの連結部４３Ｂ，４３Ｃを有している。このように複数の連結部４３を設けることで、効果的に体液を吸収体１９に移動させている。なお、本発明の連結部４３の数はこれに限られるものではないが、好ましくは、弾性部材２８に近接した連結部４３Ａを設けるとよい。これにより、排泄後、付着した体液で表面シート２０の重みが増した場合において、弾性部材２８の周辺領域がその弾性力により他の表面シート２０の領域に比べて肌に密着し易い状態であっても、弾性部材２８の周辺領域に付着した体液を積極的に吸収体１９側に導くことができる。従って、体液が肌に接触する事態を可及的に防止して、装着感を向上できる。
また、連結部４３は、通過部２５を塞いで排泄物の収容空間Ｓへの移動を阻害しないように、通過部２５を避けて配置するのが好ましい。
【００３３】
第１実施形態の吸収性製品１０は以上のように構成され、軟便等の排泄物は通過部２５で吸収体１９側に移動させることができ、通過部２５を通らずに表面シート２０に残った体液については、連結部４３を介して吸収体１９側に移動させることができる。また、体液は連結部４３を介して吸収体１９に移動可能なので、表面シート２０と吸収体１９とを接続する必要性もなく、従って、表面シート２０と吸収体１９との間に大きな収容空間Ｓを形成し、そこに軟便を収容することができる。かくして、小便と軟便を問わず、排泄物が身体に触れることを可及的に回避して、排泄後の気持ち悪さやスキントラブルを回避できる。
【００３４】
〔第２実施形態〕
次に、本発明の第２実施形態に係る吸収性製品９５ついて図７〜図１１を用いて説明する。
図７は当該吸収性製品９５が湾曲した状態の概略斜視図、図８は吸収性製品９５を伸ばし広げてから平面視した図、図９は吸収性製品９５を装着して、図７のＣ−Ｃの位置で切断した場合の概略断面図、図１０は吸収性製品９５を装着して、図７のＤ−Ｄの位置で切断した場合の概略断面図、図１１は吸収性製品９５を装着して、図７のＥ−Ｅの位置で切断した場合の概略断面図である。なお、図７及び図８では、理解の便宜のため表面シート４０と後述する不存在領域３０との接続領域を平行斜線で示している。また、図１０及び図１１では、理解の便宜のため連結部５０を平行斜線で示している。
これらの図の吸収性製品９５が図１〜図６の吸収性製品１０と主に異なるのは、「表面シート４０の肌への密着を可及的に防止している点」、「通過部２５の所要の開口幅を維持させる点」、「連結部５０に体液を吸収体１９に導く機能以外の機能を併せもたせた点」、等である。
【００３５】
先ず、表面シート４０の肌への密着を可及的に防止している点について説明する。
図７〜図１１に示すように、吸収性製品９５も第１実施形態と同様、最も着用者側に配置され、複数の通過部２５が形成された表面シート４０を有しているが、この表面シート４０は、図１０に示すように、層方向（防水シート１８、吸収体１９、表面シート４０が重ねられた方向）Ｚについて、幅方向Ｘの中央部４０Ｄが外側（肌とは反対側）に、中央部４０Ｄよりも幅方向Ｘの両外側が肌側に、夫々配置されている。
具体的には、長手方向Ｙに沿って設けられた弾性部材２８は、幅方向Ｘについて、表面シート２０の中央部４０Ｄを間に挟んで両外側に設けられて一対とされている。この一対の弾性部材２８，２８は第１実施形態と同様、表面シート４０を吸収体１９から離間するように弾性力を発揮する部材である。このため、表面シート４０は、幅方向Ｘの中央部４０Ｄよりも両外側の弾性部材２８に接続された部分４０Ｃ，４０Ｃが肌側に持ち上げられる。そして、この表面シート４０は、幅方向Ｘの中央部４０Ｄが最も外側（防水シート１８側）に配置され、これにより、幅方向Ｘの断面形状が概ねＭ字状とされ、着用者の肌と接触するのは基本的には表面シート４０の両外側の部分４０Ｃ，４０Ｃだけとなる。従って、表面シート４０に付着した排泄物が身体に触れることを可及的に回避できる。また、このような幅方向断面が略Ｍ字状の表面シート４０により、吸収性製品１０は、装着状態において、一対の弾性部材２８，２８の間に、肌側とは反対の外側に窪んだ窪み部６８が形成される。従って、もし通過部２５を直ぐに通過しない排泄物があっても、そのような一部の排泄物を一時的に窪み部６８に入れて、排泄物の肌への接触を防止することができる。
【００３６】
なお、第２実施形態の吸収性製品９５は男性用であり、図７に示すように、表面シート４０には陰茎を挿入できる切り込み部３７を有している。切り込み部３７は、長手方向Ｙと幅方向Ｘで交差する十字状である。この切り込み部３７の周辺は図９に示すように陰茎ＰＥを挿入するための空間Ｓ４を有する袋状であり、当該空間Ｓ４には吸収体１９が存在し、挿入した陰茎ＰＥからの小便を吸収可能としている。この切り込み部３７については、複数の小さな切込みを断続的に配列してなる切断可能なミシン目にし、男性が使用する場合に当該ミシン目を切断するようにして、吸収性製品９５を男性用と女性用を兼ねた製品にしてもよい。
【００３７】
次に、表面シート４０の通過部２５の所要の開口幅を維持させる点について説明する。
第２実施形態の通過部２５も、吸収性製品９５を広げ伸ばした状態の図８に示すように、一対の弾性部材２８，２８同士の間に形成されたスリット状である。そして、上述のように表面シート４０は弾性部材２８と接続した部分４０Ｃが最も肌側に、中央部４０Ｄが最も外側に配置されるため、通過部２５は、装着状態では図７に示すように幅方向Ｘに広がって、所定の大きさに開口する孔となる。広がった孔の開口幅Ｗ５は、表面シート４０の部分４０Ｃと中央部４０Ｄとの位置差により、図１の開口幅Ｗ２に比べて概ね大きく、このため、排泄物が勢いよく排出されても、収容空間Ｓ側に排泄物をより有効に移動できる。
なお、通過部２５は、図１０に示すように、一対の弾性部材２８，２８の間にのみ形成されるのが好ましい。これにより、表面シート４０の弾性部材２８よりも幅方向Ｘの外側の部分４０Ｂが中央部に比べて肌に近くても、いったん収容空間Ｓに収容された軟便などの排泄物が部分４０Ｂを通じて肌に接触する事態を防止できる。
【００３８】
この点、図７、図８、図１０、及び図１１に示すように、平面視において（より具体的には、防水シート１８、吸収体１９、表面シート４０が重ねられた層方向であり、図１０及び図１１のＺ方向から見て）、吸収体１９が存在しない不存在領域３０が吸収体１９により区画されている。この「吸収体１９が存在しない不存在領域３０」とは、吸収体１９に期待する吸収力を発揮できない領域を意味し、例えば、排泄物を略吸収しないために、排泄時に層方向Ｚへの膨張が規制された領域である。また、「吸収体１９により区画されている」とは、平面視において、吸収体１９に囲まれた位置に形成されていること、又は吸収体１９に挟まれた位置に形成されていることを意味する。そして、この不存在領域３０に表面シート４０の一部、図の場合は幅方向Ｘの中央部４０Ｄが接続されている。
この不存在領域３０は主に２つの機能を発揮するものであり、一つ目は表面シート４０が肌に触れる事態を有効に防止する機能（以下、「肌接触防止機能」という）であり、二つ目は通過部２５の開口状態を維持する機能（以下、「通過開口部維持機能」という）である。即ち、もし表面シート４０が吸収体１９（図の場合、吸収体１９を被覆するカバーシートの部分２１Ｂ）に接続されていると、吸収体１９の体液吸収による膨張に伴って、表面シート４０が持ち上がって肌に触れ易くなると共に、表面シート４０の最も肌側の弾性部材２８と最も外側の中央部４０Ｄとの位置差が小さくなって通過部２５の孔の開口具合も小さくなり、軟便等が通過部２５を通過し難くなる。そこで、吸収体１９が膨張しても、肌側の弾性部材２８と表面シート４０の外側の中央部４０Ｄとの位置差を維持できるように、吸収体１９が配置される領域の一部分に上下に膨張しない部分を形成して、そこに表面シート４０を接続するようにした。
【００３９】
図１０及び図１１に示すように、不存在領域３０は、防水シート１８側が露出するようにした吸収体１９の孔（貫通孔）から形成し、このような孔から露出した防水シート１８（防水シート１８の上に接続された他の部材を含む）の領域とするのが好ましい。これにより確実に吸収体１９の層方向の膨張を防止できる。
また、このような不存在領域３０を形成することで、吸収体１９にはその孔の内側面１９Ｆが形成される。この内側面１９Ｆの面積は当該孔の平面積より大きく、その分、吸収体１９の表面積が増加して、吸収速度を向上させることができる。しかも、不存在領域３０を孔から形成すると、吸収体１９の上面が所謂ゲルブロッキング状態（液体成分の吸収により膨張したポリマー成分が液体成分の吸収体１９の内部への侵入を阻止する状態）になっても、ゲルブロッキング状態になっていない内側面１９Ｆから体液を吸収することができる。これにより、吸収能力を十分に活用するのが困難であった吸収体１９の底面側１９Ｄを活用して、吸収体１９の吸収力を高めることもできる。
なお、本発明の不存在領域３０の態様はこれに限られず、例えば吸収体１９を切り欠くことで形成してもよい。
【００４０】
また、この不存在領域３０を形成するために吸収体１９に孔（貫通孔）を形成すると、防水シート１８側が露出するが、本実施形態では、この露出した防水シート１８の上に、ティッシュ１７の一部１７Ａ、及び、カバーシート２１の一部２１Ａを延伸させて、これら延伸した部分と防水シート１８とを熱圧着して接続固定している（なお、カバーシート２１の一部２１Ａは、吸収体１９を覆っていないので、正確にはもはやカバーシートとは言えない）。そして、このカバーシート２１の一部２１Ａに表面シート４０の中央部４０Ｄを接続固定している。なお、カバーシート２１の吸収体１９を覆っている部分２１Ｂは、体液を吸収して膨張した吸収体１９によって突き破られないようにして、寸法的に多少余裕を持たせて吸収体１９の上のティッシュの部分１７Ｂに被せてあり、また、幅方向Ｘに伸縮性を有していることが好ましい。
【００４１】
また、不存在領域３０は、図７及び図８に示すように、吸収体１９の幅方向Ｘの中央部に形成されると共に、長手方向（着用時における前後方向）Ｙに延伸して形成された細長い長孔からなっている。これにより、吸収性製品９５を装着する際、幅方向Ｘへの屈曲の起点として機能する不存在領域３０が下側となるようにして、幅方向Ｘにおいて手で谷折りして装着できる。従って、表面シート４０は、身体に接触する弾性部材２８の周辺４０Ｃと不存在領域３０に接続した中央部４０Ｄとの位置差が大きくなり、通過部２５を構成する孔の所要の開口具合を維持し易くなる。そして、不存在領域３０の位置で谷折りをして、幅方向Ｘの寸法を小さくすることで、脚を開きにくいが故に吸収性製品９５を適切に装着するのが難しい着用者に対しても、吸収性製品９５を適切に装着することができる。
【００４２】
次に、連結部５０に体液を吸収体１９に導く機能以外の機能を併せもたせた点について説明する。
図９〜図１１に示すように、第２実施形態も第１実施形態の連結部４３（図３及び図５参照）と同様に、表面シート４０に付着した体液を吸収体１９まで導く連結部５０を有している。
この点、第１実施形態の連結部４３は、図３に示すように、表面シート２０の吸収体１９側の層である外側表面シート２７を部分的に吸収体１９側に弛ませて形成しており、このため、連結部４３で画された空間Ｓａが形成される。そうすると、当該空間Ｓａには、例えば勢いよく排出された軟便が図５の連結部４３の存在しない空間から回り込んで入ってくる恐れがあり、もし図３の空間Ｓａに軟便が入ると、軟便は吸収体１９に上手く移動できなくなってしまう。しかし、第２実施形態では、図９に示すように、連結部５０は、収容空間Ｓにおいて、層方向Ｚに折り返すことなく形成された壁状であり、図３のように排泄物の溜まる空間Ｓａが形成されることはない。従って、第２実施形態の連結部５０は、層方向Ｚに軟便が引っかかることはなく、軟便を吸収体１９に円滑に移動させることができる。具体的には、図３及び図９に示す表面シート２０，４０の下面から吸収体１９の上面に向かう間の連結部４３，５０の態様については、図３の場合、複数の連結部４３が蛇腹状に繋がった態様をしているが、図９の場合、複数の連結部５０Ａ，５０Ｂ，５０Ｃの夫々が独立した壁状であり、その壁面は略ストレートとされている。なお、この壁面形状については、本発明はこれに限られず、壁面の途中で排泄物が溜まるようなことがなければ屈曲しても構わない。
【００４３】
このような複数の連結部５０Ａ，５０Ｂ，５０Ｃは、図７及び図９に示すように前後方向Ｙに断続的に配置され、図９に示すように、収容空間Ｓの前後方向Ｙを複数に仕切って、複数の空間Ｓ１，Ｓ２，Ｓ３，Ｓ４を形成するようになっている。具体的には、連結部５０Ａ，５０Ｃにより、収容空間Ｓの内、少なくとも最も幅の狭い股間部の直下にある空間（図７の縮幅部１２に存在する空間）Ｓ２，Ｓ３とその前後の空間Ｓ１，Ｓ４とを仕切っている。これにより、肛門部ＡＮの直下の空間Ｓ１に軟便を収容できるにもかかわらず、軟便が勢いよく排泄されて、股間部の幅の狭く小さな空間Ｓ２，Ｓ３に軟便が流入してくることを可及的に防止し、また、陰茎ＰＥから小便が勢いよく排泄された場合も、当該空間Ｓ２，Ｓ３に小便が不要に流入して、股間部の幅の狭い部分から外部に排泄物が漏れる事態を有効に防止できる（以下、このような連結部５０の機能を、ここでは「排泄物の自由移動制限機能」という）。
なお、図９では、吸収が遅いために小便に比べて大きな空間を必要とする軟便に対応して、肛門部ＡＮの直下にある空間Ｓ１は他の空間Ｓ２，Ｓ３，Ｓ４に比べて大きく形成されている。
【００４４】
ここで、連結部５０は、図１０及び図１１に示すように、幅方向Ｘについて収容空間Ｓを完全に塞ぐのではなく、収容空間Ｓの前後方向Ｙに排泄物が移動するための流路４９を確保し、前後方向Ｙを完全に仕切らないように形成されている。
これにより、図９の複数の空間Ｓ１，Ｓ２，Ｓ３，Ｓ４は図１０及び図１１に示す流路４９を介して連通し、例えば、軟便の量が多く、空間Ｓ１だけでは収容しきれない場合があっても、当該空間Ｓ１よりも前方の空間Ｓ２に流路４９を介して軟便を移動させて、軟便が空間Ｓ１に入りきらずに肌側に漏れてしまう事態を防止することができる。また、収容空間Ｓのうち図９の縮幅部１２に対応した空間Ｓ２，Ｓ３に排泄物が収容しきれない場合も、その前後の空間Ｓ４，Ｓ１に排泄物を移動させて、縮幅部１２からの所謂横漏れを防止できる（以下、このような連結部５０の機能を、ここでは「排泄物の外部漏れ防止機能」という）。
【００４５】
このような連結部５０は、表面シート４０側については、図７に示すように、通過部２５を避けるようにして通過部２５，２５同士の間の部分４０Ｆに、吸収体１９側については、図９〜図１１に示すようにカバーシート２１に、それぞれ接続されている。なお、連結部５０を形成するに当たっては、図示していないが、一例として、表面シート４０を全体的に複数層にして、所定の領域の上層と下層を除いて熱圧着し、当該熱圧着していない領域の下層の部分を層方向Ｚに折り返すことがない１枚の独立した壁状となるように垂らしてカバーシート２１に接続すると、当該熱圧着していない下層を連結部５０とすることができる 。
【００４６】
そして、複数の連結部５０の内、図７に示す縮幅部１２とその前後の部分との間に設けられた連結部５０Ａ，５０Ｃ（図９では、空間Ｓ３と空間Ｓ４を仕切る連結部５０Ａ、及び、空間Ｓ２と空間Ｓ１を仕切る連結部５０Ｃ）については、図１０の場合、一対の弾性部材２８，２８同士の間の収容空間Ｓ（換言すれば、図７の複数の通過部２５が形成された領域に対応した収容空間）に配置されている。従って、この一対の弾性部材２８，２８同士の間にある通過部２５から直ぐに排泄物が入ってきて、例えば軟便や小便が図９の空間Ｓ１・Ｓ４から空間Ｓ２・Ｓ３に勢いよく流れる恐れがあったとしても、図７に示すように通過部２５が配置された領域に対応した連結部５０Ａ，５０Ｃにより、上述した排泄物の自由移動制限機能を効果的に発揮することができる。
なお、図１０に示す左右一対の収容空間Ｓの夫々について、連結部５０Ａの幅方向Ｘの両側に流路４９が形成されている。従って、連結部５０Ａで排泄物の勢いを抑制しながらも、この流路４９を介して前後の空間に排泄物を移動させて、上述した排泄物の外部漏れ防止機能を発揮させることができる。
【００４７】
これに対して、図７及び図１１に示すように、縮幅部１２に設けられた連結部５０Ｂについては、一対の弾性部材２８，２８よりも幅方向Ｘの外側に配置されている。従って、不存在領域３０を下側となるように谷折りする等して、表面シート４０の弾性部材２８よりも幅方向Ｘの外側の部分４０Ｂが肌に接触したとしても、外側の部分４０Ｂに付着した体液を積極的に吸収体１９に導いて、体液が肌に付着する事態を有効に防止することができる。
なお、図７の縮幅部１２は吸収体１９の幅方向Ｘの寸法が小さい領域であるため、この縮幅部１２に対応した図１１の収容空間Ｓについては、上述した排泄物の自由移動制限機能が発揮し過ぎると、横漏れの危険が高まってしまう。そこで、図１１に示すように、縮幅部１２内にある連結部５０Ｂについては、通過部２５が形成された領域に対応した収容空間Ｓ（本実施形態では一対の弾性部材２８，２８の間）には配置せず、この配置しない空間を流路４９とし、これにより、排泄物が勢いよく通過部２５を通って流れ込んできても、この流路４９を介して排泄物を直ぐに前後に移動可能としている。
【００４８】
本第２実施形態の吸収性製品９５は以上のように構成され、表面シート４０は幅方向Ｘの断面形状が概ねＭ字状とされ、表面シート４０が着用者の肌と接触する部分を可及的に限定している。さらに、平面視において、吸収体１９に囲まれた位置に、吸収体１９が存在しない不存在領域３０が形成され、この不存在領域３０に表面シート４０の中央部４０Ｄが接続されている。このため、吸収体１９が膨張しても通過部２５の孔の開口具合を維持し、従って、排泄物が勢いよく流れてきても、排泄物を通過部２５から収容空間Ｓに移動することができる。しかも、連結部５０は、表面シート４０に付着した体液を吸収体１９に導く機能だけではなく、上述した排泄物の自由移動制限機能、及び排泄物の外部漏れ防止機能をバランスよく発揮できる。
そして、表面シート４０に付着した体液は連結部５０を介して吸収体１９に移動できるため、体液の吸収体１９への移動を考慮して、表面シート４０と吸収体１９とを接続する必要性はそもそもない。また、上述した不存在領域３０の肌接触防止機能および通過開口部維持機能を考慮しても、不存在領域３０の図８に示す幅方向Ｘの寸法Ｗ６を大きくして、そこに表面シート４０を接続する必要性もなく、却って、吸収体１９の量の確保という観点からは孔や切り欠きからなる不存在領域３０の寸法Ｗ６は小さい方が好ましい。このようなことから第２実施形態では、当該寸法Ｗ６については、不存在領域３０と表面シート４０との接続状態を維持できる範囲内で可及的に小さくしており、そして、図１０に示すように、表面シート４０は幅方向Ｘの中央部４０Ｄの小さな範囲を不存在領域３０に接続しているだけである。このため、表面シート４０と吸収体１９とで画される収容空間Ｓが従来のように小さくなり過ぎることもなく、軟便等の排泄物を有効に収容できる収容空間Ｓを形成することができる。
かくして、小便と軟便を問わず、排泄物が身体に触れることをより有効に回避な優れた吸収性製品９５とすることができる。
【００４９】
ところで本発明は上記実施の形態に限定されるものではなく、上述の実施形態の個別の構成は、必要により省略したり、説明しない他の構成と組み合わせたりしてもよい。
例えば、上述した実施形態では尿便パッドを例示したが、パンツ式のおむつ等であってもよい。
また、本発明の通過手段２５の数・種類・寸法も上述した実施形態に限れるものではなく、例えば図２や図８の状態でスリットにしない場合は、幅の狭い長孔（直線状の孔だけではなく、例えば、曲がっている孔や、幅の狭い長円状・楕円形状・三角形状の孔、等も含まれる）が好ましく、或いは、スリットと長孔を組み合せて用いてもよい。
また、第２実施形態では、不存在領域３０を構成するカバーシートの一部２１Ａと表面シート４０の中央部４０Ｄとを接続しているが、表面シート４０と接続されるのは、吸収体１９の孔又は切り欠きにより不存在領域３０を形成したことで露出した防水シート１８であっても構わない。
また、本発明の弾性部材２８の配置や数は上述した実施形態に限られるものではなく、例えば第２実施形態において、幅方向Ｘの弾性部材２８の配置について、中央部を間に挟んで左右それぞれ２本ずつでも構わない。
また、上述した実施形態の連結部４３，５０は、カバーシート２１に接続されているが、他の部材を介して吸収体１９と繋がっていてもよく、例えばティッシュ１７と接続されてもよい。
【符号の説明】
【００５０】
１０，９５・・・吸収性製品、１８・・・防水シート、１９・・・吸収体、２０，４０・・・表面シート、２５・・・通過部、２８・・・弾性部材、４３，５０・・・連結部、４９・・・流路、Ｓ・・・収容空間
【図１】
0006498951.tif 000002
【図２】
0006498951.tif 000003
【図３】
0006498951.tif 000004
【図４】
0006498951.tif 000005
【図５】
0006498951.tif 000006
【図６】
0006498951.tif 000007
【図７】
0006498951.tif 000008
【図８】
0006498951.tif 000009
【図９】
0006498951.tif 000010
【図１０】
0006498951.tif 000011
【図１１】
0006498951.tif 000012